(57)【特許請求の範囲】
【請求項１】
便鉢部と、便鉢部の上部周縁に設けられたリム通水路と、リム通水路の始端部に設けられ、リム通水路に沿って洗浄水を吐水する吐水口とを備えた便器本体であって、
前記リム通水路は、前記便鉢部の上部内周面を形成する周壁部と、周壁部の下端から内側に延びて形成され、前記吐水口から吐水された洗浄水を上面に流通させつつ、その一部の洗浄水を内側から下方に連続する便鉢部の内側面に沿って流下させる棚部とを有し、
前記周壁部は、前記リム通水路の始端部から短くとも終端部の手前近傍に至るまでの間、その垂直方向の寸法が徐々に小さく形成されていることを特徴とする便器本体。
【請求項２】
前記棚部は、前記リム通水路の始端部から短くとも終端部の手前近傍に至るまでの間、上り勾配を有して形成されていることを特徴とする請求項１記載の便器本体。
【請求項３】
前記吐水口は、前記便鉢部の上部周縁の２ヶ所に設けられた第１吐水口及び第２吐水口であり、前記リム通水路は、第１吐水口から第２吐水口まで延びて形成された第１リム通水路及び第２吐水口から第１吐水口まで延びて形成された第２リム通水路であることを特徴とする請求項１又は２記載の便器本体。
【請求項４】
前記便鉢部を平面視した状態で、便鉢部を前後方向及び左右方向に等分した際の前側の左右一方の上部周縁に前記第１吐水口が設けられ、後側の左右他方の上部周縁に前記第２吐水口が設けられていることを特徴とする請求項３記載の便器本体。
【請求項５】
前記周壁部の内周面と前記棚部の上面とは、内側上方を向いた傾斜面により連結されていることを特徴とする請求項１乃至４のいずれか１項記載の便器本体。
【請求項６】
前記リム通水路は前記周壁部の上端から内側に延びて形成された鍔部を有し、この鍔部の内周面と下面とは、内側下方を向いた傾斜面により連結されていることを特徴とする請求項１乃至５のいずれか１項記載の便器本体。
【発明の詳細な説明】
【技術分野】
【０００１】
本発明は便器本体に関する。
【背景技術】
【０００２】
特許文献１に従来の便器本体が開示されている。この便器本体は、便鉢部と、便鉢部の上部周縁に設けられたリム通水路とを備えている。リム通水路の始端部にはリム通水路に沿って洗浄水を吐水する吐水口が設けられている。リム通水路は、便鉢部の上部内周面を形成する周壁部と、周壁部の下端から内側に延びて形成され、吐水口から吐水された洗浄水を上面に流通させつつ、その一部の洗浄水を下方に連続する便鉢部の内側面に沿って流下させる棚部とを有している。棚部は、リム通水路の始端部から中間部に至るまでの間、上り勾配に形成され、中間部から終端部に至るまでの間、下り勾配に形成されている。この便器本体では、リム通水路の全体に吐水口から吐水された洗浄水を行き渡らせることができ、便鉢部の内側面の全体に洗浄水を流下させることができる。
【先行技術文献】
【特許文献】
【０００３】
【特許文献１】特開２００７−３１５０６１号公報
【発明の概要】
【発明が解決しようとする課題】
【０００４】
しかし、上記従来の便器本体では、リム通水路の中間部から終端部に至るまでの間、棚部が下り勾配に形成されていることにより、周壁部の垂直方向の寸法が、リム通水路の中間部から終端部に近づくに従い、大きく形成されている。吐水口から吐水された洗浄水は、棚部の上面を流通しつつ、その一部が下方に連続する便鉢部の内周面に沿って流下するため、リム通水路の終端部に近づくに従い、棚部の上面に流通する洗浄水の水量は徐々に少なくなり、棚部上の洗浄水の水位は低くなる。このため、周壁部の内周面の上部には、リム通水路の終端部に近づくに従い、吐水口から吐水された洗浄水が接触しなくなり、洗浄されなくなる。また、洗浄水が接触しない周壁部の内周面の面積は、リム通水路の終端部に近づくに従い大きくなる。このため、リム通水路の周壁部の内周面の上部に付着した汚水の飛沫等が洗い落とされず、その面積が大きくなるため、汚れが目立ちやすくなったり、悪臭等の原因になったりするおそれがある。
【０００５】
本発明は、上記従来の実情に鑑みてなされたものであって、便器洗浄が良好に行なわれ、汚れを溜まり難くすることができる便器本体を提供することを解決すべき課題としている。
【課題を解決するための手段】
【０００６】
本発明の便器本体は、便鉢部と、便鉢部の上部周縁に設けられたリム通水路と、リム通水路の始端部に設けられ、リム通水路に沿って洗浄水を吐水する吐水口とを備えた便器本体であって、
前記リム通水路は、前記便鉢部の上部内周面を形成する周壁部と、周壁部の下端から内側に延びて形成され、前記吐水口から吐水された洗浄水を上面に流通させつつ、その一部の洗浄水を内側から下方に連続する便鉢部の内側面に沿って流下させる棚部とを有し、
前記周壁部は、前記リム通水路の始端部から短くとも終端部の手前近傍に至るまでの間、その垂直方向の寸法が徐々に小さく形成されていることを特徴とする。
【０００７】
この便器本体では、リム通水路の終端部に近づくにつれて、吐水口から吐水されて棚部の上面を流通する洗浄水の水量が少なくなり、水位が低くなるのに応じて、周壁部の垂直方向の寸法が徐々に小さく形成されている。このため、周壁部の内周面の全体に洗浄水を接触させることができる。よって、周壁部の内周面を吐水口から吐水された洗浄水により良好に洗浄することができる。
【０００８】
したがって、本発明の便器本体は、便器洗浄が良好に行なわれ、汚れを溜まり難くすることができる。
【０００９】
前記棚部は、前記リム通水路の始端部から短くとも終端部の手前近傍に至るまでの間、上り勾配を有して形成され得る。この場合、周壁部の上端から内側に延びて形成される鍔部の厚さを薄くすることができる。つまり、リム通水路の始端部から終端部の手前近傍に至るまでの間、周壁部の垂直方向の寸法を徐々に小さくするために、鍔部の厚さを徐々に厚くする場合に比べ、鍔部の厚さを薄くすることができる。このため、便鉢内にほぼ垂直方向に形成される鍔部の内周面も薄くなり、内周面に汚水の飛沫等が付着することを減らし、内周面を汚れ難くすることができる。また、鍔部の内周面の面積を小さくすることにより、汚水の飛沫等が付着することにより内周面が汚れたとしても目立ち難くすることができる。
【００１０】
前記吐水口は、前記便鉢部の上部周縁の２ヶ所に設けられた第１吐水口及び第２吐水口であり、前記リム通水路は、第１吐水口から第２吐水口まで延びて形成された第１リム通水路及び第２吐水口から第１吐水口まで延びて形成された第２リム通水路であり得る。この場合、各リム通水路の長さを短くすることができるため、各吐水口から吐水された洗浄水を各リム通水路の始端部から終端部まで良好に流通させることができる。このため、便鉢部の内側面の全体に洗浄水を流下させることができるため、便器洗浄を良好に行なうことができる。
【００１１】
前記便鉢部を平面視した状態で、便鉢部を前後方向及び左右方向に等分した際の前側の左右一方の上部周縁に前記第１吐水口が設けられ、後側の左右他方の上部周縁に前記第２吐水口が設けられ得る。この場合、各吐水口から吐水された洗浄水が流れる各リム通水路の長さを短くすることができる。また、各吐水口から吐水された直後の水勢の強い洗浄水が、リム通水路の曲率の小さい湾曲部に沿って流される。このため、この曲率の小さい湾曲部を洗浄水が良好に流れ、その後の曲率の大きい湾曲部も洗浄水は良好に流れる。よって、各リム通水路の始端部から終端部まで洗浄水を良好に流通させることができる。このため、便鉢部の内側面の全体に洗浄水を流下させることができ、便器洗浄を良好に行なうことができる。
【００１２】
前記周壁部の内周面と前記棚部の上面とは、内側上方を向いた傾斜面により連結され得る。この場合、棚部の上面を流通する洗浄水には遠心力が作用するため、周壁部の内周面に押し付けられるように流通する。このため、傾斜面に沿って周壁部の内周面の上部まで洗浄水を行き渡らせることができる。よって、周壁部の内周面を洗浄水により良好に洗浄することができる。
【００１３】
前記リム通水路は前記周壁部の上端から内側に延びて形成された鍔部を有し、この鍔部の内周面と下面とは、内側下方を向いた傾斜面により連結され得る。この場合、鍔部の内周面の面積をより小さくすることができる。このため、鍔部の内周面に汚水の飛沫等が付着することを減らし、内周面を汚れ難くすることができる。また、鍔部の内周面の面積を小さくすることにより、汚水の飛沫等が付着することにより内周面が汚れたとしても目立ち難くすることができる。さらに、内側下方に向いた傾斜面が形成されているため、鍔部の下方へブラシ等の掃除道具を挿入し易くなり、鍔部の下面、周壁部の内周面及び棚部の上面を容易に掃除することができる。
【図面の簡単な説明】
【００１４】
【図１】実施例の便器本体の平面図である。
【図２】実施例の便器本体の断面図である。
【図３】図１の矢視Ｘ−Ｘ断面図である。
【図４】（Ａ）〜（Ｅ）は、図３の矢視Ａ−Ａ〜矢視Ｅ−Ｅに対応する部分断面図である。
【図５】図１の矢視Ｙ−Ｙ断面図である。
【図６】図５の矢視Ｆ−Ｆ断面図である。
【図７】図５の矢視Ｇ−Ｇ断面図である。
【図８】実施例の便器本体を利用した水洗式便器の斜視図である。
【発明を実施するための形態】
【００１５】
本発明を具体化した実施例を図面を参照しつつ説明する。
【実施例】
【００１６】
実施例の便器本体１０は、図１及び図２に示すように、便鉢部１１を備えている。便鉢部１１の上部周縁には、第１リム通水路１２Ａ及び第２リム通水路１２Ｂが設けられている。便鉢部１１を平面視した状態で、図２に示すように、便鉢部１１を前後方向に等分した仮想線Ｌと左右方向に等分した仮想線Ｍとを引いた場合、仮想線Ｌより前側（便鉢部１１の前端Ｔ側）の左側（便鉢部１１の前端Ｔ側から後方を見た際の左側）に位置する便鉢部１１の上部周縁には第１吐水口１７Ａが設けられている。また、仮想線Ｌより後側（便鉢部１１の後端Ｒ側）の右側（便鉢部１１の前端Ｔ側から後方を見た際の右側）に位置する便鉢部１１の上部周縁には第２吐水口１７Ｂが設けられている。第１リム通水路１２Ａは第１吐水口１７Ａから第２吐水口１７Ｂまで延びて形成されている。また、第２リム通水路１２Ｂは第２吐水口１７Ｂから第１吐水口１７Ａまで延びて形成されている。このように、第１吐水口１７Ａと第２吐水口１７Ｂとは便鉢部１１の上部周縁の略対向する位置に設けられているため、第１リム通水路１２Ａ及び第２リム通水路１２Ｂを短く形成することができる。
【００１７】
第１吐水口１７Ａは左側リム給水路１７Ｌの先端部に設けられた開口である。左側リム給水路１７Ｌの後端部には分配管３０の左配管３１Ｌが接続されている。第２吐水口１７Ｂは右側リム給水路１７Ｒの先端部に設けられた開口である。右側リム給水路１７Ｒの後端部には分配管３０の右配管３１Ｒが接続されている。
【００１８】
分配管３０は、図１に示すように、便器本体１０の後端部に形成され、周縁部に立壁２１Ａが立ち上げられた収納部２１に一部が収納されている。分配管３０の左配管３１Ｌ及び右配管３１Ｒは、前側の立壁２１Ａの下部に左右に並んで設けられた一対の挿通口２１Ｌ、２１Ｒに挿通されている。分配管３０は、収納部２１内で上方に向けて開口する接続口３０Ａを有している。接続口３０Ａは、後述する便器洗浄装置に接続される。これにより、便器洗浄装置から供給される洗浄水は、分配管３０及び各リム給水路１７Ｌ、１７Ｒを介して、各吐水口１７Ａ、１７Ｂから各リム通水路１２Ａ、１２Ｂに吐水される。
【００１９】
各リム通水路１２Ａ、１２Ｂは、図２〜図７に示すように、便鉢部１１の上部内周面を形成する周壁部１３と、周壁部１３の下端から内側に延びて形成された棚部１４と、周壁部１３の上端から内側に延びて形成された鍔部１６とを有している。
【００２０】
棚部１４は、第１吐水口１７Ａ又は第２吐水口１７Ｂから吐水された洗浄水を上面に流通させつつ、その一部の洗浄水を下方に連続する便鉢部１１の内側面に沿って流下させる。
【００２１】
第１リム通水路１２Ａを形成する棚部１４は、第１リム通水路１２Ａの始端部Ｓ１から終端部Ｅ１の手前近傍Ｎに至るまでの間、上り勾配を有して形成されている。つまり、第１リム通水路１２Ａは、図４及び図６に示すように、棚部１４が上り勾配を有しているため、周壁部１３の垂直方向の寸法が、第１リム通水路１２Ａの始端部Ｓ１から終端部Ｅ１の手前近傍Ｎに至るまでの間、徐々に小さく形成されている。
【００２２】
第１吐水口１７Ａから吐水された洗浄水は、第１リム通水路１２Ａの終端部Ｅ１に近づくにつれて、棚部１４の上面を流通する水量が少なくなり、水位が低くなる。これに応じて、周壁部１３の寸法は徐々に小さく形成されているため、周壁部１３の内周面の全体に洗浄水を接触させることができる。このため、周壁部１３の内周面を第１吐水口１７Ａから吐水された洗浄水により良好に洗浄することができる。
【００２３】
また、第２リム通水路１２Ｂを形成する棚部１４は、図２及び図５に示すように、第２リム通水路１２Ｂの始端部Ｓ２から終端部Ｅ２に至るまでの間、上り勾配を有して形成されている。つまり、第２リム通水路１２Ｂは、棚部１４が上り勾配を有しているため、周壁部１３の垂直方向の寸法が、第２リム通水路１２Ｂの始端部Ｓ２から終端部Ｅ２に至るまでの間、徐々に小さく形成されている。
【００２４】
第２吐水口１７Ｂから吐水された洗浄水は、第２リム通水路１２Ｂの終端部Ｅ２に近づくにつれて、棚部１４の上面を流通する水量が少なくなり、水位が低くなる。これに応じて、周壁部１３の寸法が徐々に小さく形成されているため、周壁部１３の内周面の全体に洗浄水を接触させることができる。このため、周壁部１３の内周面を第２吐水口１７Ａから吐水された洗浄水により良好に洗浄することができる。
【００２５】
したがって、実施例の便器本体は、便器洗浄が良好に行なわれ、汚れを溜まり難くすることができる。
【００２６】
また、周壁部１３の垂直方向の寸法を徐々に小さくするために棚部１４を上り勾配にしたため、鍔部１６の厚さを薄くすることができる。このため、鍔部１６の内周面１６Ａに汚水の飛沫等が付着することを減らし、内周面１６Ａを汚れ難くすることができる。また、鍔部１６の内周面１６Ａの面積を小さくすることにより、汚水の飛沫等が付着することにより内周面１６Ａが汚れたとしても目立ち難くすることができる。
【００２７】
また、便鉢部１１の上部周縁の２ヶ所に第１吐水口１７Ａ及び第２吐水口１７Ｂを設け、かつ第１リム通水路１２Ａ及び第２リム通水路１２Ｂを形成している。このため、各リム通水路１２Ａ、１２Ｂの長さを短くすることができ、各吐水口１７Ａ、１７Ｂから吐水された洗浄水を各リム通水路１２Ａ、１２Ｂの始端部Ｓ１、Ｓ２から終端部Ｅ１、Ｅ２まで良好に流通させることができる。よって、便鉢部１１の内側面の全体に洗浄水を流下させることができ、便器洗浄を良好に行なうことができる。
【００２８】
また、第２吐水口１７Ｂの付近では周壁部１３の垂直方向の寸法が大きくなっているが、曲率が小さくなる湾曲部であるため、洗浄水に大きな遠心力が作用し、周壁部１３の上部まで洗浄水を行き渡らせることができ、周壁部１３の洗浄を良好に行なうことができる。
【００２９】
また、各吐水口１７Ａ、１７Ｂから吐水された直後の水勢の強い洗浄水が各リム通水路１２Ａ、１２Ｂの曲率の小さい湾曲部に沿って流される。つまり、各吐水口１７Ａ、１７Ｂから吐水された洗浄水が流れる各リム通水路１２Ａ、１２Ｂの前半に曲率の小さい湾曲部が形成されているため、この部分において大きな遠心力が洗浄水に作用し、洗浄水が周壁部１３の内周面に押し付けられ、周壁部１３の内周面を良好に洗浄することができる。また、この曲率の小さい湾曲部を洗浄水が良好に流れ、その後の曲率の大きい湾曲部も洗浄水は良好に流れる。よって、各リム通水路１２Ａ、１２Ｂの始端部Ｓ１、Ｓ２から終端部Ｅ１、Ｅ２まで洗浄水を良好に流通させることができる。このため、便鉢部１１の内周面の全体に洗浄水を流下させることができ、便器洗浄を良好に行なうことができる。
【００３０】
周壁部１３の内周面と棚部１４の上面とは、図３及び図４に示すように、内側上方を向いた傾斜面１５により連結されている。この傾斜面１５は、周壁部１３の内周面と棚部１４の上面との夫々に連続し、凹状に湾曲している。棚部１４の上面を流通する洗浄水には遠心力が作用するため、周壁部１３の内周面に押し付けられるように流通する。このため、傾斜面１５に沿って、周壁部１３の内周面の上部まで洗浄水を行き渡らせることができる。よって、周壁部１３の内周面を洗浄水により良好に洗浄することができる。
【００３１】
鍔部１６は、図３〜図７に示すように、内周面１６Ａと下面１６Ｂとが内側下方を向いた平坦な傾斜面１６Ｃにより連結されている。このように形成された鍔部１６は内周面１６Ａの面積をより小さくしている。このため、鍔部１６の内周面１６Ａに汚水の飛沫等が付着することを減らし、内周面１６Ａを汚れ難くすることができる。また、鍔部１６の内周面１６Ａの面積を小さくすることにより、汚水の飛沫等が付着することにより内周面１６Ａが汚れたとしても目立ち難くすることができる。さらに、傾斜面１６Ｃが形成されているため、鍔部１６の下方へブラシ等の掃除道具を挿入しやすくなり、鍔部１６の下面１６Ｂ、周壁部１３の内周面及び棚部１４の上面を容易に掃除することができる。
【００３２】
便器本体１０は、図１、図３及び図５に示すように、便鉢部１１の下流側に連通した便器排水路１８と、鍔部１６の上面に連続して後方に延びる上面部２０とを有している。便器排水路１８は、便鉢部１１の下端部に連続し、後部上方に傾斜して延びる上昇流路１８Ａと、上昇流路１８Ａの上端部に連続し、下方に延びる下降流路１８Ｂとから形成されている。下降流路１８Ｂの下流端開口は接続部材４を介して床面から引き出された排水管５の流入口に連通される。
【００３３】
便器本体１０には、収納部２１より前方かつ便鉢部１１より後方に位置する上面部２０の下方に円筒形状の空洞部１９が形成されている。空洞部１９の下端は便器排水路１８の上端部に開口されている。空洞部１９の上端には、上面部２０を貫通する開口部１９Ａが形成されている。空洞部１９の下端後部から後方に延びた拡張空洞部１９Ｂが形成されている。
【００３４】
便器本体１０には、上面部２０から下方に延び、左右方向に所定間隔を有して並設された一対の第１取付孔２２が貫設されている。この第１取付孔２２の便器本体１０の前端からの位置及び各第１取付孔２２間の寸法は、便座装置の取付孔としてＪＩＳ規格に定められたものである。また、第１取付孔２２より後方かつ前側の立壁２１Ａより前方であって、便器本体１０の上面部２０の左右端部には一対の第２取付孔２３が貫設されている。
【００３５】
このように構成された便器本体１０を利用して、図８に示すように、便器洗浄装置４０及び吸引装置５０を備えた水洗式便器を構成することができる。
【００３６】
この水洗式便器は、洗浄タンク４１を有する便器洗浄装置４０及び吸引装置５０を便器本体１０の後端部の上方に配置している。便器洗浄装置４０及び吸引装置５０は、便器本体１０の上面部に取り付けられたカバー１により覆われている。カバー１の前面下部には、便座２及び便蓋３が回動自在に軸支されている。
【００３７】
洗浄タンク４１は下端面に形成された流出口を有しており、流出口は分配管３０の接続口３０Ａに接続されている。吸引装置５０は、吸引路５１を介して、蓋部材５２の吸引口に連結されている。蓋部材５２は空洞部１９の上端に形成された開口部１９Ａを気密状態で閉鎖している。吸引路５１は、第１吸気管５１Ａと第２吸気管５１Ｂとから形成されている。蓋部材５２は、開口部１９Ａに上方から挿入され、平板上の固定部材６０により押さえつけられた状態で固定されている。固定部材６０は、第１取付孔２２にねじ込まれたボルトＢ１及び第２取付孔２３にねじ込まれたボルトＢ２により便器本体１０の上面部２０に強固に固定されている。
【００３８】
このように構成された水洗式便器は、便器洗浄が開始されると、洗浄タンク４１の流出口から洗浄水が流出する。これにより、便器本体１０の各吐水口１７Ａ、１７Ｂから各リム通水路１２Ａ、１２Ｂに洗浄水が吐水される。洗浄水は、各リム通水路１２Ａ、１２Ｂを一方向に流通しながら、便鉢部１１の内側面に沿って流下し、便鉢部１１内に貯留される。これにより、便鉢部１１内の洗浄水が上昇する。
【００３９】
その後、吸引装置５０が駆動され、空洞部１９及び拡張空洞部１９Ｂを介して便器排水路１８の空気が吸引される。これにより、便鉢部１１に貯留された洗浄水が便器排水路１８に引き込まれ、便器排水路１８内の洗浄水が増加し、サイホン作用が誘起される。このため、この水洗式便器では、サイホン作用を確実に誘起させることができ、便器洗浄を良好に行なうことができる。
【００４０】
本発明は、上記記載及び図面によって説明した実施例に限定されるものではなく、例えば次のような実施例も本発明の技術的範囲に含まれる。
（１）実施例では、棚部を上り勾配に形成することにより、リム通水路の周壁部の垂直方向の寸法を徐々に小さくしたが、棚部を水平に形成し、鍔部の厚さを徐々に厚くすることにより、リム通水路の周壁部の垂直方向の寸法を徐々に小さくしてもよい。
（２）実施例では、吐水口を便鉢部の上部周縁の２ヶ所に２つ設けたが、１箇所に１つのみ設けてもよい。
（３）実施例では、リム通水路の周壁部の内周面と棚部の上面とを湾曲状の傾斜面により連結したが、内側上方を向いた平坦な傾斜面により連結してもよい。
（４）実施例では、リム通水路に鍔部を設けたが、鍔部を設けなくてもよい。
（５）実施例では、鍔部の内周面と下面とを内側下方を向いた平坦な傾斜面により連結したが、鍔部の内周面と下面との夫々に連続し、凸状に湾曲した傾斜面により連結してもよい。
【産業上の利用可能性】
【００４１】
本発明は水洗式便器に利用可能である。
【符号の説明】
【００４２】
１０…便器本体
１１…便鉢部
１２Ａ、１２Ｂ…リム通水路（１２Ａ…第１リム通水路、１２Ｂ…第２リム通水路）
Ｓ１、Ｓ２…始端部（Ｓ１…第１リム通水路の始端部、Ｓ２…第２リム通水路の始端部）
Ｅ１、Ｅ２…終端部（Ｅ１…第１リム通水路の終端部、Ｅ２…第２リム通水路の終端部）
１３…周壁部
１４…棚部
１５…傾斜面
１６…鍔部
１６Ａ…（鍔部の）内周面
１６Ｂ…（鍔部の）下面
１６Ｃ…傾斜面
１７Ａ、１７Ｂ…吐水口（１７Ａ…第１吐水口、１７Ｂ…第２吐水口）
【図１】
0005483314.tif 000002
【図２】
0005483314.tif 000003
【図３】
0005483314.tif 000004
【図４】
0005483314.tif 000005
【図５】
0005483314.tif 000006
【図６】
0005483314.tif 000007
【図７】
0005483314.tif 000008
【図８】
0005483314.tif 000009